【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
印刷データを解析する際にエラーを検出したことに応じて解析を停止する画像処理装置であって、
印刷データを解析する複数の解析手段であって第１の解析手段と第２の解析手段を少なくとも含む複数の解析手段を有し、
前記複数の解析手段は、印刷データに含まれる第１のページデータを前記第１の解析手段で解析し且つ前記印刷データに含まれる第２のページデータを前記第２の解析手段で解析し、前記第１のページデータの解析が完了する前に前記第２のページデータにおいてエラーが検出されても前記第１のページデータの解析が完了するまでは前記第１の解析手段による解析を継続することを特徴とする画像処理装置。
【請求項２】
印刷データを解析する際にエラーを検出したことに応じて解析を停止する画像処理装置であって、
印刷データを解析する複数の解析手段であって第１の解析手段と第２の解析手段を少なくとも含む複数の解析手段を有し、
前記複数の解析手段は、特定の印刷データに含まれる第１のページデータを前記第１の解析手段で解析し且つ前記特定の印刷データに含まれる第２のページデータを前記第２の解析手段で解析し、前記第１のページデータの解析が完了する前に前記第２のページデータにおいてエラーが検出されても前記第１のページデータの解析が完了するまでは前記第１の解析手段による解析を継続することを特徴とする画像処理装置。
【請求項３】
前記複数の解析手段は、前記第２のページデータにおいてエラーが検出されても前記第１のページデータの解析が完了するまでは前記第１の解析手段による解析を継続し、前記第１のページデータの解析結果に基づくデータ出力を可能にすることを特徴とする請求項１又は２に記載の画像処理装置。
【請求項４】
前記複数の解析手段は、前記第２のページデータにおいてエラーが検出されても前記第１のページデータの解析が完了するまでは前記第１の解析手段による解析を継続し、前記第１のページデータの解析結果に基づく画像出力を可能にすることを特徴とする請求項１又は２に記載の画像処理装置。
【請求項５】
前記複数の解析手段は、前記第２のページデータにおいてエラーが検出されても前記第１のページデータの解析が完了するまでは前記第１の解析手段による解析を継続し、前記第１のページデータの解析結果に基づく印刷を可能にすることを特徴とする請求項１又は２に記載の画像処理装置。
【請求項６】
前記複数のページデータで構成される印刷データの形式が、ポストスクリプトであるか否かを判定する判定手段を更に有し、
前記複数の解析手段は、前記判定手段により前記複数のページデータで構成される印刷データの形式がポストスクリプトであると判定された場合、前記第１のページデータの解析が完了する前に前記第２のページデータにおいてエラーが検出されても前記第１のページデータの解析が完了するまでは前記第１の解析手段による解析を継続することを特徴とする請求項１乃至５何れか１項記載の画像処理装置。
【請求項７】
前記第２の解析手段は、前記第２のページデータにおけるエラーを検知したことに応じて、前記第２のページデータの解析を停止することを特徴とする請求項１乃至６何れか１項記載の画像処理装置。
【請求項８】
前記第２のページデータにおけるエラーが前記第２の解析手段により検知されたことを前記第１の解析手段に通知する通知手段を更に有することを特徴とする請求項１乃至７何れか１項記載の画像処理装置。
【請求項９】
前記複数の解析手段による印刷データに含まれるページデータの解析結果に応じた画像を印刷する印刷ユニットを更に有することを特徴とする請求項１乃至８何れか１項記載の画像処理装置。
【請求項１０】
前記複数の解析手段は、マルチコアＣＰＵであることを特徴とする請求項１乃至９何れか１項記載の画像処理装置。
【請求項１１】
前記第１のページデータは、前記第２のページデータよりも前記複数のページデータ内での順番が前のページデータであることを特徴とする請求項１乃至１０何れか１項記載の画像処理装置。
【請求項１２】
前記第２のページデータにおけるエラーが前記第２の解析手段により検出された場合、前記複数の解析手段は、前記複数のページデータ内での順番が前記第２のページデータよりも前の全てのページデータの解析が完了するまで解析を継続することを特徴とする請求項１乃至１１何れか１項記載の画像処理装置。
【請求項１３】
前記特定の印刷データは、ポストスクリプト形式の印刷データであることを特徴とする請求項２に記載の画像処理装置。
【請求項１４】
前記複数の解析手段は、前記特定の印刷データと異なる印刷データに含まれる第３のページデータを前記第１の解析手段で解析し且つ前記異なる印刷データに含まれる第４のページデータを前記第２の解析手段で解析し、前記第３のページデータの解析が完了する前に前記第４のページデータにおいてエラーが検出された場合、前記第１の解析手段による解析を停止することを特徴とする請求項２又は１３に記載の画像処理装置。
【請求項１５】
印刷データを解析する際にエラーを検知したことに応じて解析を停止する画像処理装置であって、
複数の解析ユニットを介して複数のページデータそれぞれを並行して解析する解析手段を有し、
前記解析手段による印刷データを構成する複数のページデータそれぞれの解析の際に、前記複数のページデータに含まれる１つのページデータでエラーが検出された場合、前記解析手段は、前記複数のページデータ内の順番が前記１つのページデータよりも前の全てのページデータについて、解析結果に基づくデータ出力が可能となるように解析が完了するまでは解析を継続することを特徴とする画像処理装置。
【請求項１６】
印刷データを解析する複数の解析手段であって第１の解析手段と第２の解析手段を少なくとも含む複数の解析手段を有し、印刷データを解析する際にエラーを検出したことに応じて解析を停止する画像処理装置が実行する画像処理方法であって、
印刷データに含まれる第１のページデータを前記第１の解析手段で解析し且つ前記印刷データに含まれる第２のページデータを前記第２の解析手段で解析し、前記第１のページデータの解析が完了する前に前記第２のページデータにおいてエラーが検出されても前記第１のページデータの解析が完了するまでは前記第１の解析手段による解析を継続することを特徴とする画像処理方法。
【請求項１７】
印刷データを解析する複数の解析手段であって第１の解析手段と第２の解析手段を少なくとも含む複数の解析手段を有し、印刷データを解析する際にエラーを検出したことに応じて解析を停止する画像処理装置が実行する画像処理方法であって、
特定の印刷データに含まれる第１のページデータを前記第１の解析手段で解析し且つ前記特定の印刷データに含まれる第２のページデータを前記第２の解析手段で解析し、前記第１のページデータの解析が完了する前に前記第２のページデータにおいてエラーが検出されても前記第１のページデータの解析が完了するまでは前記第１の解析手段による解析を継続することを特徴とする画像処理方法。
【請求項１８】
前記第２のページデータにおいてエラーが検出されても前記第１のページデータの解析が完了するまでは前記第１の解析手段による解析を継続し、前記第１のページデータの解析結果に基づくデータ出力を可能にすることを特徴とする請求項１６又は１７に記載の画像処理方法。
【請求項１９】
前記第２のページデータにおいてエラーが検出されても前記第１のページデータの解析が完了するまでは前記第１の解析手段による解析を継続し、前記第１のページデータの解析結果に基づく画像出力を可能にすることを特徴とする請求項１６又は１７に記載の画像処理方法。
【請求項２０】
前記第２のページデータにおいてエラーが検出されても前記第１のページデータの解析が完了するまでは前記第１の解析手段による解析を継続し、前記第１のページデータの解析結果に基づく印刷を可能にすることを特徴とする請求項１６又は１７に記載の画像処理方法。
【請求項２１】
印刷データを解析する際にエラーを検知したことに応じて解析を停止する画像処理装置が実行する画像処理方法であって、
複数の解析ユニットを介して印刷データを構成する複数のページデータそれぞれを並行して解析する際に、前記複数のページデータに含まれる１つのページデータでエラーが検出された場合、前記複数のページデータ内の順番が前記１つのページデータよりも前の全てのページデータについて、解析結果に基づくデータ出力が可能となるように解析が完了するまでは解析を継続することを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、画像処理装置及び画像処理方法に関する。
【手続補正４】
【補正対象書類名】明細書
【補正対象項目名】０００４
【補正方法】変更
【補正の内容】
【０００４】
印刷データの解析処理に対してマルチコアを適用し、複数のコアで複数のページを同時に解析する場合、エラーが発生し、解析を停止する際に適切な処理が必要である。
【手続補正５】
【補正対象書類名】明細書
【補正対象項目名】０００５
【補正方法】変更
【補正の内容】
【０００５】
そこで、本発明の画像処理装置は、印刷データを解析する際にエラーを検出したことに応じて解析を停止する画像処理装置であって、印刷データを解析する複数の解析手段であって第１の解析手段と第２の解析手段を少なくとも含む複数の解析手段を有し、前記複数の解析手段は、印刷データに含まれる第１のページデータを前記第１の解析手段で解析し且つ前記印刷データに含まれる第２のページデータを前記第２の解析手段で解析し、前記第１のページデータの解析が完了する前に前記第２のページデータにおいてエラーが検出されても前記第１のページデータの解析が完了するまでは前記第１の解析手段による解析を継続することを特徴とする。
【手続補正６】
【補正対象書類名】明細書
【補正対象項目名】０００６
【補正方法】変更
【補正の内容】
【０００６】
本発明によれば、印刷データの解析処理に対して複数の解析手段を適用し、複数のページを同時に解析する場合、エラーが発生し、解析を停止する際に適切な処理を行うことができる。